(57)【要約】【課題】  接続を簡略化でき、接続ケーブルを短くでき、各映像表示装置を確実に制御でき、また、映像が間延びしない大画面の映像表示方法の提供。【解決手段】  複数の映像表示装置３１〜３９の画面を並べて大画面を構成し、映像信号に基づく映像を表示する大画面の映像表示方法。複数の映像表示装置３１〜３９に、大画面の縦横の画面数、及び大画面での各自の画面の位置を示す位置情報を各記憶させ、映像信号及び制御信号を各受信させ、受信させた映像信号及び制御信号を他の映像表示装置へ各送信させ、受信させた映像信号から、位置情報に応じた部分映像信号を各抽出させ、抽出させた部分映像信号から、隣接する他の映像表示装置の画面との隙間部分の映像信号を各除去させ、隙間部分の映像信号を除去させた部分映像信号を、画面数に基づき各拡大又は縮小処理させ、拡大又は縮小処理させた部分映像信号及び制御信号に基づく部分映像を画面に各表示させる。【選択図】        図２
2006235233.tif 000002
【特許請求の範囲】
【請求項１】
複数の映像表示装置の画面を並べて大画面を構成し、該大画面に映像信号に基づく映像を表示する大画面の映像表示方法において、
前記複数の映像表示装置に、前記大画面の縦横の画面数、及び前記大画面での各自の画面の位置を示す位置情報を各記憶させ、前記映像信号及び制御信号を各受信させ、受信させた映像信号及び制御信号を他の映像表示装置へ各送信させ、受信させた映像信号から、前記位置情報に応じた部分映像信号を各抽出させ、抽出させた部分映像信号から、隣接する他の映像表示装置の画面との隙間部分の映像信号を各除去させ、該隙間部分の映像信号を除去させた部分映像信号を、前記画面数に基づき各拡大又は縮小処理させ、拡大又は縮小処理させた部分映像信号及び前記制御信号に基づく部分映像を画面に各表示させることを特徴とする大画面の映像表示方法。
【請求項２】
複数の映像表示装置の画面を並べて大画面を構成し、該大画面に映像信号に基づく映像を表示する大画面の映像表示方法において、
前記複数の映像表示装置に、前記大画面の縦横の画面数、及び前記大画面での各自の画面の位置を示す位置情報を各記憶させ、前記映像信号及び制御信号を各受信させ、受信させた映像信号及び制御信号を他の映像表示装置へ各送信させ、受信させた映像信号から、前記位置情報に応じた部分映像信号を各抽出させ、抽出させた部分映像信号の、他の映像表示装置の部分映像信号との重複部分の明るさを各調節させ、該重複部分の明るさを調節させた部分映像信号を、前記画面数に基づき各拡大又は縮小処理させ、拡大又は縮小処理させた部分映像信号及び前記制御信号に基づく部分映像を画面に各表示させることを特徴とする大画面の映像表示方法。
【請求項３】
１つの前記映像表示装置に、遠隔制御装置からの制御信号を受信する制御信号受信手段、及び／又は外部からの操作に基づき制御信号を作成する制御信号作成手段を用意し、前記制御信号受信手段が受信した制御信号、又は前記制御信号作成手段が作成した制御信号と、前記部分映像信号とに基づく部分映像を画面に表示させると共に、他の映像表示装置へ前記制御信号の何れか又は両方を送信させる請求項１又は２記載の大画面の映像表示方法。
【請求項４】
複数の映像表示装置の画面を並べて大画面を構成し、該大画面に映像信号に基づく映像を表示するように構成してある大画面映像表示装置に使用される映像表示装置において、
前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号から、隣接する他の映像表示装置の画面との隙間部分の映像信号を除去する手段と、該手段が隙間部分の映像信号を除去した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする映像表示装置。
【請求項５】
複数の映像表示装置の画面を並べて大画面を構成し、該大画面に映像信号に基づく映像を表示するように構成してある大画面映像表示装置に使用される映像表示装置において、
前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号の、他の映像表示装置の部分映像信号との重複部分の明るさを調節する手段と、該手段が重複部分の明るさを調節した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする映像表示装置。
【請求項６】
遠隔制御装置からの制御信号を受信する制御信号受信手段、及び／又は外部からの操作に基づき制御信号を作成する制御信号作成手段を更に備え、前記制御信号受信手段が受信した制御信号、又は前記制御信号作成手段が作成した制御信号と、前記部分映像信号とに基づく部分映像を画面に表示させると共に、他の映像表示装置へ前記制御信号の何れか又は両方を送信するように構成してある請求項４又は５記載の映像表示装置。
【請求項７】
複数の映像表示装置の画面を並べて大画面を構成し、該大画面に映像信号に基づく映像を表示するように構成してある大画面映像表示装置において、
前記映像表示装置は、前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号から、隣接する他の映像表示装置の画面との隙間部分の映像信号を除去する手段と、該手段が隙間部分の映像信号を除去した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする大画面映像表示装置。
【請求項８】
複数の映像表示装置の画面を並べて大画面を構成し、該大画面に映像信号に基づく映像を表示するように構成してある大画面映像表示装置において、
前記映像表示装置は、前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号の、他の映像表示装置の部分映像信号との重複部分の明るさを調節する手段と、該手段が重複部分の明るさを調節した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする大画面映像表示装置。
【請求項９】
１つの前記映像表示装置は、遠隔制御装置からの制御信号を受信する制御信号受信手段、及び／又は外部からの操作に基づき制御信号を作成する制御信号作成手段を更に備え、前記制御信号受信手段が受信した制御信号、又は前記制御信号作成手段が作成した制御信号と、前記部分映像信号とに基づく部分映像を画面に表示させると共に、他の映像表示装置へ前記制御信号の何れか又は両方を送信するように構成してある請求項７又は８記載の大画面映像表示装置。
【請求項１０】
前記映像信号を前記映像表示装置へ供給する手段と、遠隔制御装置からの制御信号を受信する制御信号受信手段、及び／又は外部からの操作に基づき制御信号を作成する制御信号作成手段と、前記映像表示装置へ前記制御信号の何れか又は両方を送信する手段とを有する映像供給装置を更に備える請求項７又は８記載の大画面映像表示装置。
【発明の詳細な説明】
【技術分野】
【０００１】
本発明は、複数の映像表示装置の画面を並べて構成した大画面に映像を表示する大画面の映像表示方法、この大画面の映像表示方法に使用する映像表示装置、及びこの大画面の映像表示方法により映像を表示する大画面映像表示装置に関するものである。
【背景技術】
【０００２】
特許文献１には、液晶表示装置をＮ個組み合わせて、１つの画面を形成し、各液晶表示装置には、分割された１／Ｎ分割画面の各映像を映し出し、背面からメタルハライドランプ又はバックライト等の光源にて光を照射し、スクリーンに１つの映像を投射する液晶表示装置が開示されている。この液晶表示装置では、外部に映像信号処理装置を接続することなく、マルチ画面又は大画面の解像度を上げて表示することができる。
【特許文献１】特開平１０−１１０３１号公報
【発明の開示】
【発明が解決しようとする課題】
【０００３】
上述したような従来の大画面映像表示装置では、映像表示装置間の接続が煩雑となる上、有線接続の場合は接続ケーブルが長くなるという問題ある。
また、従来の大画面映像表示装置では、遠隔制御装置（リモートコントロール）で複数の映像表示装置を一度に制御する為、遠隔制御装置から遠い映像表示装置では遠隔制御装置からの受信感度が悪くなる。遠隔制御装置から近い映像表示装置でも端にあるものは、遠隔制御装置からの角度が大きくなり、遠隔制御装置からの受信感度が悪くなる。このように、一部に制御不安定になる映像表示装置が発生する可能性があった。制御不安定の映像表示装置が１つでも発生した場合、それを修繕する為に個別に制御しようとしても、全体画面が大きい場合は、制御不安定の映像表示装置に接近するのは困難である。
【０００４】
また、制御不安定の映像表示装置と正常な映像表示装置とが隣接しているので、制御不安定の映像表示装置のみを制御しようとしても、正常な映像表示装置をも誤って制御してしまうこともあり、制御不安定の映像表示装置が発生すると、修繕も困難になるという問題がある。
また、従来の大画面映像表示装置では、映像を分割するだけで、画面間の隙間等物理的な空間を考慮していなかった為、部分的に間延びした映像になってしまうことがあるという問題がある。また、投射型の大画面映像表示装置では、部分映像の接続部分を重複させているが、その重複部分が不自然に明るくなるという問題がある。
【０００５】
本発明は、上述したような事情に鑑みてなされたものであり、本発明では、映像表示装置間の接続を簡略化でき、接続ケーブルを短くすることができ、各映像表示装置を確実に制御することができ、また、映像が間延びしない大画面の映像表示方法を提供することを目的とする。
また、本発明では、映像表示装置間の接続を簡略化でき、接続ケーブルを短くすることができ、各映像表示装置を確実に制御することができ、また、部分映像の接続部分が目立たない大画面の映像表示方法を提供することを目的とする。
また、本発明では、１つの映像表示装置を操作することにより、全映像表示装置を制御することができる大画面の映像表示方法を提供することを目的とする。
【０００６】
また、本発明では、映像表示装置間の接続を簡略化でき、接続ケーブルを短くすることができ、各映像表示装置を確実に制御することができ、また、映像が間延びしない大画面映像表示装置を実現することができる映像表示装置を提供することを目的とする。
また、本発明では、映像表示装置間の接続を簡略化でき、接続ケーブルを短くすることができ、各映像表示装置を確実に制御することができ、また、部分映像の接続部分が目立たない大画面映像表示装置を実現することができる映像表示装置を提供することを目的とする。
また、本発明では、１つの映像表示装置を操作することにより、全映像表示装置を制御することができる大画面映像表示装置を実現する為の映像表示装置を提供することを目的とする。
【０００７】
また、本発明では、映像表示装置間の接続を簡略化でき、接続ケーブルを短くすることができ、各映像表示装置を確実に制御することができ、また、映像が間延びしない大画面映像表示装置を提供することを目的とする。
また、本発明では、映像表示装置間の接続を簡略化でき、接続ケーブルを短くすることができ、各映像表示装置を確実に制御することができ、また、部分映像の接続部分が目立たない大画面映像表示装置を提供することを目的とする。
また、本発明では、１つの映像表示装置を操作することにより、全映像表示装置を制御することができる大画面映像表示装置を提供することを目的とする。
また、本発明では、映像供給装置を操作することにより、全映像表示装置を制御することができる大画面映像表示装置を提供することを目的とする。
【課題を解決するための手段】
【０００８】
本発明に係る大画面の映像表示方法は、複数の映像表示装置の画面を並べて大画面を構成し、該大画面に映像信号に基づく映像を表示する大画面の映像表示方法において、前記複数の映像表示装置に、前記大画面の縦横の画面数、及び前記大画面での各自の画面の位置を示す位置情報を各記憶させ、前記映像信号及び制御信号を各受信させ、受信させた映像信号及び制御信号を他の映像表示装置へ各送信させ、受信させた映像信号から、前記位置情報に応じた部分映像信号を各抽出させ、抽出させた部分映像信号から、隣接する他の映像表示装置の画面との隙間部分の映像信号を各除去させ、該隙間部分の映像信号を除去させた部分映像信号を、前記画面数に基づき各拡大又は縮小処理させ、拡大又は縮小処理させた部分映像信号及び前記制御信号に基づく部分映像を画面に各表示させることを特徴とする。
【０００９】
本発明に係る大画面の映像表示方法は、複数の映像表示装置の画面を並べて大画面を構成し、該大画面に映像信号に基づく映像を表示する大画面の映像表示方法において、前記複数の映像表示装置に、前記大画面の縦横の画面数、及び前記大画面での各自の画面の位置を示す位置情報を各記憶させ、前記映像信号及び制御信号を各受信させ、受信させた映像信号及び制御信号を他の映像表示装置へ各送信させ、受信させた映像信号から、前記位置情報に応じた部分映像信号を各抽出させ、抽出させた部分映像信号の、他の映像表示装置の部分映像信号との重複部分の明るさを各調節させ、該重複部分の明るさを調節させた部分映像信号を、前記画面数に基づき各拡大又は縮小処理させ、拡大又は縮小処理させた部分映像信号及び前記制御信号に基づく部分映像を画面に各表示させることを特徴とする。
【００１０】
本発明に係る大画面の映像表示方法は、１つの前記映像表示装置に、遠隔制御装置からの制御信号を受信する制御信号受信手段、及び／又は外部からの操作に基づき制御信号を作成する制御信号作成手段を用意し、前記制御信号受信手段が受信した制御信号、又は前記制御信号作成手段が作成した制御信号と、前記部分映像信号とに基づく部分映像を画面に表示させると共に、他の映像表示装置へ前記制御信号の何れか又は両方を送信させることを特徴する。
【００１１】
本発明に係る映像表示装置は、複数の映像表示装置の画面を並べて大画面を構成し、該大画面に映像信号に基づく映像を表示するように構成してある大画面映像表示装置に使用される映像表示装置において、前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号から、隣接する他の映像表示装置の画面との隙間部分の映像信号を除去する手段と、該手段が隙間部分の映像信号を除去した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする。
【００１２】
この映像表示装置では、複数の映像表示装置の画面を並べて大画面を構成し、大画面に映像信号に基づく映像を表示するように構成してある大画面映像表示装置に使用される。画面構成記憶手段が、大画面の縦横の画面数を記憶し、位置記憶手段が、大画面での画面の位置を示す位置情報を記憶する。送受信手段が、映像信号を受信し他の映像表示装置へ送信し、送信する手段が、制御信号を受信し他の映像表示装置へ送信する。抽出する手段が、送受信手段が受信した映像信号から、位置記憶手段が記憶する位置情報に対応する部分映像信号を抽出し、除去する手段が、その抽出した部分映像信号から、隣接する他の映像表示装置の画面との隙間部分の映像信号を除去する。拡大又は縮小処理する手段が、その隙間部分の映像信号を除去した部分映像信号を、画面構成記憶手段が記憶する画面数に基づき拡大又は縮小処理し、表示する手段が、その拡大又は縮小処理した部分映像信号及び制御信号に基づく部分映像を画面に表示する。
【００１３】
本発明に係る映像表示装置は、複数の映像表示装置の画面を並べて大画面を構成し、該大画面に映像信号に基づく映像を表示するように構成してある大画面映像表示装置に使用される映像表示装置において、前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号の、他の映像表示装置の部分映像信号との重複部分の明るさを調節する手段と、該手段が重複部分の明るさを調節した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする。
【００１４】
この映像表示装置では、複数の映像表示装置の画面を並べて大画面を構成し、大画面に映像信号に基づく映像を表示するように構成してある大画面映像表示装置に使用される。画面構成記憶手段が、大画面の縦横の画面数を記憶し、位置記憶手段が、大画面での画面の位置を示す位置情報を記憶する。送受信手段が、映像信号を受信し他の映像表示装置へ送信し、送信する手段が、制御信号を受信し他の映像表示装置へ送信する。抽出する手段が、送受信手段が受信した映像信号から、位置記憶手段が記憶する位置情報に対応する部分映像信号を抽出し、調節する手段が、その抽出した部分映像信号の、他の映像表示装置の部分映像信号との重複部分の明るさを調節する。拡大又は縮小処理する手段が、その重複部分の明るさを調節した部分映像信号を、画面構成記憶手段が記憶する画面数に基づき拡大又は縮小処理し、表示する手段が、その拡大又は縮小処理した部分映像信号及び制御信号に基づく部分映像を画面に表示する。
【００１５】
本発明に係る映像表示装置は、遠隔制御装置からの制御信号を受信する制御信号受信手段、及び／又は外部からの操作に基づき制御信号を作成する制御信号作成手段を更に備え、前記制御信号受信手段が受信した制御信号、又は前記制御信号作成手段が作成した制御信号と、前記部分映像信号とに基づく部分映像を画面に表示させると共に、他の映像表示装置へ前記制御信号の何れか又は両方を送信するように構成してあることを特徴とする。
【００１６】
この映像表示装置では、遠隔制御装置からの制御信号を受信する制御信号受信手段、及び／又は（併記したものの何れか又は両方を示す）外部からの操作に基づき制御信号を作成する制御信号作成手段を更に備えており、制御信号受信手段が受信した制御信号、又は制御信号作成手段が作成した制御信号と、部分映像信号とに基づく部分映像を画面に表示させると共に、他の映像表示装置へ制御信号の何れか又は両方を送信する。
【００１７】
本発明に係る大画面映像表示装置は、複数の映像表示装置の画面を並べて大画面を構成し、該大画面に映像信号に基づく映像を表示するように構成してある大画面映像表示装置において、前記映像表示装置は、前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号から、隣接する他の映像表示装置の画面との隙間部分の映像信号を除去する手段と、該手段が隙間部分の映像信号を除去した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする。
【００１８】
本発明に係る大画面の映像表示方法及び大画面映像表示装置では、複数の映像表示装置の画面を並べて大画面を構成し、大画面に映像信号に基づく映像を表示する。映像表示装置は、画面構成記憶手段が、大画面の縦横の画面数を記憶し、位置記憶手段が、大画面での画面の位置を示す位置情報を記憶する。送受信手段が、映像信号を受信し他の映像表示装置へ送信し、送信する手段が、制御信号を受信し他の映像表示装置へ送信する。抽出する手段が、送受信手段が受信した映像信号から、位置記憶手段が記憶する位置情報に対応する部分映像信号を抽出し、除去する手段が、その抽出した部分映像信号から、隣接する他の映像表示装置の画面との隙間部分の映像信号を除去する。拡大又は縮小処理する手段が、その隙間部分の映像信号を除去した部分映像信号を、画面構成記憶手段が記憶する画面数に基づき拡大又は縮小処理し、表示する手段が、その拡大又は縮小処理した部分映像信号及び制御信号に基づく部分映像を画面に表示する。
【００１９】
本発明に係る大画面映像表示装置は、複数の映像表示装置の画面を並べて大画面を構成し、該大画面に映像信号に基づく映像を表示するように構成してある大画面映像表示装置において、前記映像表示装置は、前記大画面の縦横の画面数を記憶する画面構成記憶手段と、前記大画面での画面の位置を示す位置情報を記憶する位置記憶手段と、前記映像信号を受信し他の映像表示装置へ送信する送受信手段と、制御信号を受信し他の映像表示装置へ送信する手段と、前記送受信手段が受信した映像信号から、前記位置記憶手段が記憶する位置情報に対応する部分映像信号を抽出する手段と、該手段が抽出した部分映像信号の、他の映像表示装置の部分映像信号との重複部分の明るさを調節する手段と、該手段が重複部分の明るさを調節した部分映像信号を、前記画面構成記憶手段が記憶する画面数に基づき拡大又は縮小処理する手段と、該手段が拡大又は縮小処理した部分映像信号及び前記制御信号に基づく部分映像を画面に表示する手段とを備えることを特徴とする。
【００２０】
本発明に係る大画面の映像表示方法及び大画面映像表示装置では、複数の映像表示装置の画面を並べて大画面を構成し、大画面に映像信号に基づく映像を表示する。映像表示装置は、画面構成記憶手段が、大画面の縦横の画面数を記憶し、位置記憶手段が、大画面での画面の位置を示す位置情報を記憶する。送受信手段が、映像信号を受信し他の映像表示装置へ送信し、送信する手段が、制御信号を受信し他の映像表示装置へ送信する。抽出する手段が、送受信手段が受信した映像信号から、位置記憶手段が記憶する位置情報に対応する部分映像信号を抽出し、調節する手段が、その抽出した部分映像信号の、他の映像表示装置の部分映像信号との重複部分の明るさを調節する。拡大又は縮小処理する手段が、その重複部分の明るさを調節した部分映像信号を、画面構成記憶手段が記憶する画面数に基づき拡大又は縮小処理し、表示する手段が、その拡大又は縮小処理した部分映像信号及び制御信号に基づく部分映像を画面に表示する。
【００２１】
本発明に係る大画面映像表示装置は、１つの前記映像表示装置は、遠隔制御装置からの制御信号を受信する制御信号受信手段、及び／又は外部からの操作に基づき制御信号を作成する制御信号作成手段を更に備え、前記制御信号受信手段が受信した制御信号、又は前記制御信号作成手段が作成した制御信号と、前記部分映像信号とに基づく部分映像を画面に表示させると共に、他の映像表示装置へ前記制御信号の何れか又は両方を送信するように構成してあることを特徴とする。
【００２２】
本発明に係る大画面の映像表示方法及び大画面映像表示装置では、１つの映像表示装置は、遠隔制御装置からの制御信号を受信する制御信号受信手段、及び／又は外部からの操作に基づき制御信号を作成する制御信号作成手段を更に備えており、制御信号受信手段が受信した制御信号、又は制御信号作成手段が作成した制御信号と、部分映像信号とに基づく部分映像を画面に表示させると共に、他の映像表示装置へ制御信号の何れか又は両方を送信する。
【００２３】
本発明に係る大画面映像表示装置は、前記映像信号を前記映像表示装置へ供給する手段と、遠隔制御装置からの制御信号を受信する制御信号受信手段、及び／又は外部からの操作に基づき制御信号を作成する制御信号作成手段と、前記映像表示装置へ前記制御信号の何れか又は両方を送信する手段とを有する映像供給装置を更に備えることを特徴とする。
【００２４】
この大画面映像表示装置では、映像供給装置は、供給する手段が、映像信号を映像表示装置へ供給する。遠隔制御装置からの制御信号を受信する制御信号受信手段、及び／又は外部からの操作に基づき制御信号を作成する制御信号作成手段を備えており、送信する手段が、映像表示装置へ制御信号の何れか又は両方を送信する。
【発明の効果】
【００２５】
本発明に係る大画面の映像表示方法によれば、映像表示装置間の接続を簡略化でき、接続ケーブルを短くすることができ、各映像表示装置を確実に制御することができ、また、映像が間延びしない大画面の映像表示方法を実現することができる。
【００２６】
また、本発明に係る大画面の映像表示方法によれば、映像表示装置間の接続を簡略化でき、接続ケーブルを短くすることができ、各映像表示装置を確実に制御することができ、また、部分映像の接続部分が目立たない大画面の映像表示方法を実現することができる。
【００２７】
また、本発明に係る大画面の映像表示方法によれば、１つの映像表示装置を操作することにより、全映像表示装置を制御することができる。
【００２８】
また、本発明に係る映像表示装置によれば、映像表示装置間の接続を簡略化でき、接続ケーブルを短くすることができ、各映像表示装置を確実に制御することができ、また、映像が間延びしない大画面映像表示装置を実現することができる。
【００２９】
また、本発明に係る映像表示装置によれば、映像表示装置間の接続を簡略化でき、接続ケーブルを短くすることができ、各映像表示装置を確実に制御することができ、また、部分映像の接続部分が目立たない大画面映像表示装置を実現することができる。
【００３０】
また、本発明に係る映像表示装置によれば、１つの映像表示装置を操作することにより、全映像表示装置を制御することができる。
【００３１】
また、本発明に係る大画面映像表示装置によれば、映像表示装置間の接続を簡略化でき、接続ケーブルを短くすることができ、各映像表示装置を確実に制御することができ、また、映像が間延びしない大画面映像表示装置を実現することができる。
【００３２】
また、本発明に係る大画面映像表示装置によれば、映像表示装置間の接続を簡略化でき、接続ケーブルを短くすることができ、各映像表示装置を確実に制御することができ、また、部分映像の接続部分が目立たない大画面映像表示装置を実現することができる。
【００３３】
また、本発明に係る大画面映像表示装置によれば、１つの映像表示装置を操作することにより、全映像表示装置を制御することができる。
【００３４】
また、本発明に係る大画面映像表示装置によれば、映像供給装置を操作することにより、全映像表示装置を制御することができる。
【発明を実施するための最良の形態】
【００３５】
以下に、本発明をその実施の形態を示す図面に基づき説明する。
（実施の形態１）
図１は、本発明に係る映像表示装置の実施の形態１の要部構成を示すブロック図である。この映像表示装置は、テレビジョン信号等の映像信号を、ケーブルを経由して映像信号入力端子１６で受信し、映像信号出力端子１７からケーブルを経由して送信する。また、他の映像表示装置からの制御信号を、ケーブルを経由して制御信号入力端子１８で受信し、受信した制御信号は、マイクロコンピュータ１４で処理され、ＲＡＭ（Random Access Memory，画面構成記憶手段、位置記憶手段）１５に記憶させると共に、制御信号出力端子１９からケーブルを経由して送信する。
【００３６】
この映像表示装置は、また、図示しないリモートコントロール（遠隔制御装置）からの赤外線等の制御信号を、リモートコントロール受信部２０で受信することも可能である。受信した制御信号は、マイクロコンピュータ１４で処理され、ＲＡＭ１５に記憶させると共に、制御信号出力端子１９からケーブルを経由して送信する。
【００３７】
上述した制御信号には、例えば、図２に示すように、縦横各３台の映像表示装置を並べて大画面映像表示装置を構成する場合の、その画面構成情報（縦３台、横３台）、及びその画面構成におけるその映像表示装置の位置情報（例えば、左下を（１，１）、右上を（３，３）として、（２，２），（３，１）等）を含む。また、その映像表示装置が後述するマスター及びスレーブの何れであるかのマスター／スレーブ情報、及び画面構成において隣接する他の画面との隙間部分の映像信号を除去する為のブランキング情報を含む。
【００３８】
尚、大画面映像表示装置の１映像表示装置として映像を表示する場合、スレーブに設定されたときは、リモートコントロール受信部２０は作動しない。
また、上述した位置情報、マスター／スレーブ情報及びブランキング情報は、映像表示装置を並べて大画面映像表示装置を構成したときに、各映像表示装置が内蔵する不揮発性のメモリに各記憶させ設定するようにしても良い。
【００３９】
映像信号入力端子１６で受信した映像信号は、映像分割部１０（抽出する手段）で、その映像表示装置の位置情報に応じた部分映像信号が抽出される。
例えば、映像信号がテレビジョン信号であり、位置情報が（２，２）であれば、１フレームの画面に表示される走査線４９０本（表示されない分を含めると５２５本）の内、中央部の１／３に含まれる１本分に重畳された映像信号を抽出する（但し、元の映像信号は影響を受けないものとする）。次いで、抽出した映像信号の内、水平走査期間の中間の１／３の期間の映像信号を抽出し、これを中央部の走査線１６３．３本について繰り返す。また、位置情報が（３，１）であれば、走査線４９０本の内、下部の１／３に含まれる１本分に重畳された映像信号を抽出し、次いで、抽出した映像信号の内、水平走査期間の最後の１／３の期間の映像信号を抽出し、これを下部の走査線１６３．３本について繰り返す。
【００４０】
映像分割部１０で抽出された部分映像信号は、ブランキング処理部１１（除去する手段）で、ブランキング情報に基づき、隣接する他の画面との隙間部分の映像信号を除去される。例えば、隣接する画面との隙間がＬであれば、その隣接する画面に近い端部の映像信号をＬ／６分除去する。尚、Ｌ／６には、隣接する画面側で除去される分、及び縦横各３倍に拡大（又は縮小）される分を見込んでいる。
【００４１】
ブランキング処理部１１で、隣接する他の画面との隙間部分の映像信号を除去された部分映像信号は、拡大（縮小）処理部１２（拡大又は縮小処理する手段）で、画面構成情報（縦３台、横３台）に基づき、拡大（又は縮小）処理される。ここでは、１本の走査線の映像信号を３本の走査線に割り当て、水平走査期間を３倍に延伸する。
拡大（縮小）処理部１２で拡大（又は縮小）処理された部分映像信号は、表示部１３に与えられ、表示部１３は、与えられた部分映像信号に基づき、図示しない画面に部分映像を表示する。
【００４２】
ここで、映像表示装置が、拡大処理部１２ではなく縮小処理部１２を備える場合としては、例えば、ハイビジョン等の高解像度信号の画面を複数の携帯電話の低解像度画面で構成する場合が考えられる。この場合は、携帯電話の映像表示装置が縮小処理部１２を備えることになる。また、映像表示装置に拡大処理部及び縮小処理部の両方を備え、映像信号の解像度に応じて何れかに切替えるようにすることも可能である。
【００４３】
尚、投射型の映像表示装置で大画面を構成する場合、各部分映像信号は、隣接する画面の部分映像信号と重複する部分を有するように分割されるので、投射型の映像表示装置では、ブランキング情報に代えて、隣接する画面の部分映像信号と重複する映像信号についての重複情報を制御信号に含めておく。また、ブランキング処理部１１に代えて、部分映像信号の重複する部分の明るさが不自然にならないように調節する重複部分調節部を備えておく。重複部分調節部では、例えば、２重に重複する部分では、映像信号の明るさを１／２に、４重に重複する部分では、映像信号の明るさを１／４に調節する。
【００４４】
（実施の形態２）
図２は、本発明に係る大画面の映像表示方法及び大画面映像表示装置の実施の形態２の要部構成を示す模式図である。この大画面映像表示装置は、実施の形態１で説明した映像表示装置を縦横に各３台、合計９台並べた構成であり、例えば、位置情報（１，１）である左下の映像表示装置３１がマスターとして、映像再生機器２１からの映像信号を映像信号入力端子１６で受信する。また、リモートコントロール（遠隔制御装置）２２からの赤外線等の制御信号を、リモートコントロール受信部２０で受信する。
【００４５】
マスターである映像表示装置３１は、受信した映像信号及び制御信号を、映像信号出力端子１７及び制御信号出力端子１９（図１）からケーブル２３を経由して、スレーブである隣接する映像表示装置３２へ送信する。
マスターである映像表示装置３１以外の映像表示装置３２〜３９は、スレーブとして、隣接する映像表示装置からケーブル２３を経由して、映像信号を映像信号入力端子１６（図１）で受信し、制御信号を制御信号入力端子１８（図１）で受信する。また、受信した映像信号及び制御信号を、映像信号出力端子１７及び制御信号出力端子１９（図１）から別のケーブル２３を経由して、スレーブである隣接する映像表示装置へ送信する。
【００４６】
尚、図２では、マスターである映像表示装置３１から、映像表示装置３２→３８の順にケーブル２３で接続しているが、この接続順に限定されるものでは無い。例えば、図３に示すように、映像表示装置３１から、映像表示装置３２→３３→３４→３９、映像表示装置３２→３５→３８、及び映像表示装置３６→３７のような接続順であっても、同様な動作は可能である。
また、マスターである映像表示装置３１が、リモートコントロール２２からの信号を受けて、制御信号を作成する構成であっても良い。
また、マスターである映像表示装置３１が、制御信号を逐一送信して、映像表示装置３２〜３９を逐一制御する構成であっても良い。
また、ケーブル２３は、映像信号及び制御信号を各信号線でパラレルに送信するもの、映像信号及び制御信号を１つの信号線でシリアルに送信するもの、の何れであっても良い。
【００４７】
このような構成の大画面映像表示装置では、各映像表示装置３１〜３９が、実施の形態１で説明したように作動することにより、例えば、図４に示すような映像を、図５に示すように、各映像表示装置３１〜３９間の隙間の部分４０の映像を除去して表示することができる。これにより、各映像表示装置３１〜３９の部分映像の位置関係が自然で間延びしない大画面映像を表示することができる。
また、各映像表示装置３１〜３９が投射型の映像表示装置である場合は、図６に示すように、隣接する画面の部分映像信号と重複する部分４２の明るさが不自然にならないように調節した大画面映像を表示することができる。
【００４８】
尚、上述した実施の形態２では、映像表示装置３１が、マスターとして、映像再生機器２１からの映像信号を受信し、リモートコントロール２２からの制御信号を受信する構成であるが、この構成に限定されるものではない。例えば、映像再生機器２１が、リモートコントロール２２からの制御信号を受信し、受信した制御信号を映像表示装置３１へ送信する構成であっても良い。この場合、映像表示装置３１〜３９は全てスレーブとし、マスターは不要である。また、映像再生機器２１が、リモートコントロール２２からの信号を受けて、制御信号を作成する構成であっても良い。
また、各映像表示装置３１〜３９は、大画面映像表示装置の１映像表示装置として映像を表示しない場合、制御信号を各リモートコントロール受信部２０で受信して、それぞれ個別に作動し、また、部分映像ではない個別の映像を表示する。
【図面の簡単な説明】
【００４９】
【図１】本発明に係る映像表示装置の実施の形態の要部構成を示すブロック図である。
【図２】本発明に係る大画面の映像表示方法及び大画面映像表示装置の実施の形態の要部構成を示す模式図である。
【図３】本発明に係る大画面の映像表示方法及び大画面映像表示装置の実施の形態の他の要部構成を示す模式図である。
【図４】映像例を示す説明図である。
【図５】本発明に係る大画面映像表示装置が表示する大画面映像の例を示す説明図である。
【図６】本発明に係る大画面映像表示装置が表示する大画面映像の例を示す説明図である。
【符号の説明】
【００５０】
１０  映像分割部（抽出する手段）
１１  ブランキング処理部（除去する手段）
１２  拡大（縮小）処理部（拡大又は縮小処理する手段）
１３  表示部
１４  マイクロコンピュータ
１５  ＲＡＭ（画面構成記憶手段、位置記憶手段）
１６  映像信号入力端子
１７  映像信号出力端子
１８  制御信号入力端子
１９  制御信号出力端子
２０  リモートコントロール受信部
２１  映像再生機器
２２  リモートコントロール（遠隔制御装置）
２３  ケーブル
３１  映像表示装置（マスター）
３２〜３９  映像表示装置（スレーブ）
【図１】
2006235233.tif 000003
【図２】
2006235233.tif 000004
【図３】
2006235233.tif 000005
【図４】
2006235233.tif 000006
【図５】
2006235233.tif 000007
【図６】
2006235233.tif 000008